(57)【要約】【課題】  幼児の成長に合わせて使用することができ、かつ第二子や第三子ができたときも買い換えることなく長期間使用することができ、さらには幼児のトイレ嫌いをなくすことを可能とする幼児用補助便座を提供する。【解決手段】  大人用便座に載置され着座した幼児が掴むための掴み部２１０を有する取手２００が着脱可能に取付けられる幼児用補助便座１において、取手２００の掴み部２１０を支持する固定部２２０と幼児用補助便座１の固定部２２０との合わせ面にこれらを係合するための係合部１３０，２３０がそれぞれ設けられ、幼児用補助便座１に取手２００を取付けるときには幼児用補助便座に固定部２２０を固定し、取手２００を取り外したとき幼児用補助便座１に取付けられて幼児用補助便座１の係合部１３０を覆うキャップ３００を備えている。【選択図】  図１
2005323869.tif 000002
【特許請求の範囲】
【請求項１】
大人用便座に載置され着座した幼児が掴むための掴み部を有する取手が着脱可能に取付けられる幼児用補助便座において、
前記取手の前記掴み部を支持する固定部と前記幼児用補助便座の前記固定部との合わせ面にこれらを係合するための係合部がそれぞれ設けられ、前記幼児用補助便座に前記取手を取付けるときには前記幼児用補助便座に前記固定部を固定し、前記取手を外したときには前記幼児用補助便座に取付けられて前記幼児用補助便座の係合部を覆うキャップを備えたことを特徴とする幼児用補助便座。
【請求項２】
前記取手の固定部下面と前記幼児用補助便座の小水受け部上面との合わせ面、及び前記取手の固定部上面と前記キャップの下面との合わせ面は、前記小水受け部の上面の形状に応じた傾斜面とされ、かつ前記取手の固定部と前記小水受け部には前記合わせ面と所定の角度をなして軸孔が設けられ、
前記キャップの下面には当該下面と前記所定の角度をなして前記軸孔に嵌合する支持軸が設けられてなり、前記キャップは、前記取手の固定部上面又は前記小水受け部上面に所定方向を向けて取付けられることを特徴とする、請求項１に記載の幼児用補助便座。
【請求項３】
前記キャップ上面には着座した幼児に向けてキャラクタが設けられていることを特徴とする、請求項２に記載の幼児用補助便座。
【請求項４】
前記キャップの上面は、前記固定部及び、前記小水受け部に取付けられた状態において、略水平な面をなしていることを特徴とする、請求項３に記載の幼児用補助便座。
【発明の詳細な説明】
【技術分野】
【０００１】
本発明は、大人用便座に取付けて幼児が使用する幼児用補助便座に関する。
【背景技術】
【０００２】
大人用便座に取付けて幼児が使用する幼児用補助便座は従来から知られている（例えば、特許文献１及び特許文献２参照）。かかる特許文献１に記載の幼児用補助便座は、幼児の成長に合わせた使用態様で使われるようになっており、具体的には取手が幼児用補助便座の便座部に対してボルト等の締結具によって着脱可能に設けられている。
【０００３】
また、特許文献２に記載の幼児用補助便座も、特許文献１に記載の幼児用補助便座と同様に、補助便座本体に対して着脱可能な取手が備わり、さらには特許文献１に記載の構成に加えて取手を取り去ったときに幼児用補助便座に形成された取手取付け用の凹み部を覆うカバーを装着可能として、外観上の見栄えを良くしている。
【０００４】
【特許文献１】実開平６−６６４９５（５頁、図１）
【特許文献２】実公平７−３７５８５（２頁、図２）
【発明の開示】
【発明が解決しようとする課題】
【０００５】
特許文献１に記載の幼児用補助便座は、取手を取り去ったときに便座部に形成された取手を取付ける貫通孔が露出してしまう。そのため、この貫通孔にゴミが詰まったりして再び取手を取付ける際に取付けにくくなったり、幼児が貫通孔に指を突っ込んだりして好ましくない。
【０００６】
一方、特許文献２に記載の幼児用補助便座は、取手を取り去ったときにカバーを介して凹み部を塞ぐことができるので、このような問題が生じない。しかしながら、カバーは取手を取り去ったときにのみ使用するようになっているので、取手を幼児用補助便座に取付けている間は、カバーを別個に保管しなければならず紛失しやすい。特に第二子や第三子が生まれた場合は各幼児の成長に合わせて取手を取付けたり取り外してカバーを付けたりしなければならないため、このような問題が生じやすい。
【０００７】
また、特許文献２に記載の幼児用補助便座は取手を便座本体に所定の向きで取付けるために複数個の止めネジとナットを必要とする。このような小さな締結部材は取手を取り外した際に保管しておかなければならず、部品が小さいが故に紛失するおそれがある。例えば、第一子が成長して取手が不要となりさらには幼児用補助便座自体も不要となった後に第二子や第三子が幼児用補助便座を使い始めた場合に、取手をネジやナットで幼児用補助便座に再び取付ける必要があるが、このような締結部品をいったん紛失してしまうと幼児用補助便座自体が使用できなくなってしまう。
【０００８】
また、特許文献２に記載のカバーは、取手を取り去った便座本体の凹み部を覆うことで外観上の見栄えを良くしているだけで、幼児用補助便座を使用する幼児の興味をそそってトイレ嫌いをなくすような役割は果たしていない。
【０００９】
本発明の目的は、幼児の成長に合わせて使用することができ、かつ第二子や第三子ができたときも買い換えることなく長期間使用することができ、さらには幼児のトイレ嫌いをなくすことを可能とする幼児用補助便座を提供することにある。
【課題を解決するための手段】
【００１０】
上述した課題を解決するために、本発明にかかる幼児用補助便座は、
大人用便座に載置され着座した幼児が掴むための掴み部を有する取手が着脱可能に取付けられる幼児用補助便座において、
前記取手の前記掴み部を支持する固定部と前記幼児用補助便座の前記固定部との合わせ面にこれらを係合するための係合部がそれぞれ設けられ、前記幼児用補助便座に前記取手を取付けるときには前記幼児用補助便座に前記固定部を固定し、前記取手を取り外したときには前記幼児用補助便座に取付けられて前記幼児用補助便座の係合部を覆うキャップを備えたことを特徴とする。
【００１１】
キャップが取手を幼児用補助便座に固定する役目を果たすとともに、取手を取付けないときの幼児用補助便座の取手係合部を覆うカバーとしての役目を果たしているので、部品点数が少なくなり、キャップ紛失のおそれもなくなる。
【００１２】
また、本発明の請求項２に記載の幼児用補助便座は、請求項１に記載の幼児用補助便座において、
前記取手の固定部下面と前記幼児用補助便座の小水受け部上面との合わせ面、及び前記取手の固定部上面と前記キャップの下面との合わせ面は、前記小水受け部の上面の形状に応じた傾斜面とされ、かつ前記取手の固定部と前記小水受け部には前記合わせ面と所定の角度をなして軸孔が設けられ、
前記キャップの下面には当該下面と前記所定の角度をなして前記軸孔に嵌合する支持軸が設けられてなり、前記キャップは、前記取手の固定部上面又は前記小水受け部上面に所定方向を向けて取付けられることを特徴とする。
【００１３】
キャップを押さえながらネジ等の締結具でキャップを締め付けなくても、単にネジ等の締結具で締め付けるだけで、キャップをその取付け方向性が定まった状態で取手の固定部又は小水受け部上面に取付けることができる。
【００１４】
また、本発明の請求項３に記載の幼児用補助便座は、請求項２に記載の幼児用補助便座において、
前記キャップ上面には着座した幼児に向けてキャラクタが設けられていることを特徴とする。
【００１５】
キャラクタが常に幼児の座った方向に向くのでこのキャラクタが幼児の興味をそそって幼児を積極的にトイレに行かせるようにし、トイレ嫌いをなくす。また、取手を取り外しても同じキャラクタをそのまま残すことができ、幼児のトイレトレーニング意欲を損なうことがない。
【００１６】
また、本発明の請求項４に記載の幼児用補助便座は、請求項３に記載の幼児用補助便座において、
前記キャップの上面は、前記固定部及び、前記小水受け部に取付けられた状態において、略水平な面をなしていることを特徴とする。
【００１７】
幼児が座っている状態でキャラクタを見易いので、安定した姿勢で用を足せ、また、幼児が便座におとなしく座っていることができるようになる。
【発明の効果】
【００１８】
本発明によると、幼児の成長に合わせて使用することができ、かつ第二子や第三子が生まれたときにも買い換えることなく長期間使用することができ、さらには幼児のトイレ嫌いをなくすことを可能とする幼児用補助便座を提供することができる。
【発明を実施するための最良の形態】
【００１９】
以下、本発明の一実施形態にかかる幼児用補助便座について説明する。本発明の一実施形態にかかる幼児用補助便座は、製造時に成型しやすくかつ使用に際して十分な強度を有する例えばポリプロビレンなどの樹脂材でできており、図１及び図２に示すように、一部に小水受け部１２０（図２参照）を備えた便座本体１００と、便座本体１００の小水受け部１２０に被せて着脱自在に取付けられる取手２００と、取手２００の便座本体１００への取付けに際して使用するとともに取手２００を便座本体１００から取り去った際に便座本体１００の取手取付け用の係合凹部１３０（図３参照）を覆うキャップ３００とを備えている。
【００２０】
便座本体１００は、図３に示すように、上面視で楕円のリング状をなした座部１１０と、座部１１０の前方部分において上方に膨出して形成された小水受け部１２０と、リング状の座部１１０の内周縁に沿って全周にわたって下方に突出した壁部１５０（図５及び図６参照）と、壁部１５０の外壁面であって便座本体の長手方向中央部にそれぞれ設けられた大人用便座への取付け調整固定具５００（図５及び図６参照）とを備えている。
【００２１】
小水受け部１２０は、便座本体１００の先端に向かって先細りになる卵形の一部をなすような外観形状を備え、図７に示すように、小水受け部１２０の前方部分１２１は中実構造なし、一部に取手２００と係合する係合凹部１３０と当該係合凹部１３０と連続して形成されたキャップ３００の支持軸挿通用の軸孔１４０が穿設されている。また、小水受け部１２０の後方部分１２２は、図５に示すように、滑らかな内壁面を有した中空構造をなし、いわゆる小水受けとしての役目を果たしている。
【００２２】
また、小水受け部１２０の傾斜面１２０ａの前方部分に上述した上面視で三角形状の深さの深い取手取付け用の係合凹部１３０が形成されている。また、取手２００を取付ける係合凹部１３０の底部中央部分にはキャップ３００を小水受け部１２０に直接取付ける場合にキャップ３００の支持軸３３０を嵌合させるとともにキャップ３００を用いて取手２００を便器本体１００に取付ける場合にキャップ３００の支持軸３３０と連結した取手２００の係合凸部２３０のボス２３０ａ（図８及び図９参照）を嵌合させるための軸孔１４０が形成されている。また、軸孔１４０にはこれと連続してキャップ締結用のボルト挿通孔１４５（図７参照）が形成されている。
【００２３】
また、傾斜面１２０ａの上方部分には、図４に示すように、キャップ３００の位置決め突部３４０ａ（図１０参照）と係合してキャップ３００の位置合わせを行う位置決め凹部１２０ｂ（図４参照）が形成されている。
【００２４】
小水受け部１２０の上面は、図７に示すように、一定の傾斜面である合わせ面１２５を形成しており、合わせ面１２５は後述する取手２００の下面に形成された下側合わせ面２２５（図８参照）やキャップ３００の周壁３２０の下縁に沿った合わせ面３２５（図１０参照）と角度的に合致するようになっている。なお、小水受け部１２０の合わせ面１２５は、キャップ３００の周壁３２０を当接させた状態でキャップ３００の上面部３１０が幼児用補助便座使用状態で水平をなすような傾斜角度に形成されている。
【００２５】
一方、便座本体１００の小水受け部開口部基端側近傍には取手２００の小水受け部開口側縁部基端側に形成された凸起部２４１（図８参照）が係合するための凹み部１１５（図４参照）が形成されている。また、便座本体１００の小水受け部開口縁部には、その基端側近傍に取手２００と係合する縁凸部１２３（図４及び図５参照）が形成されている。
【００２６】
また、便座本体下側の前方部分には、図６に示すように、幼児用補助便座を取り外した際にこれを例えばトイレの壁のフックなどに引掛けて保管しておくための引掛け部１１９が備わっている。引掛け部１１９は、一端を支点として便座本体下面に引っ込むようになっており、幼児用補助便座１００を壁に引掛ける際には引掛け１１９を回転して便座本体１００の外側に取り出すことができるようになっている。
【００２７】
一方、取手２００は、図８及び図９に示すように、小水受け部１２０の外形に対応した形状を備えた固定部２２０と、固定部２２０から上方に延在し逆Ｕ字形状を有した掴み部２１０を備えている。また、固定部２２０の下面は小水受け部１２０の上面傾斜部である合わせ面１２５と角度的に合致する傾斜を備えた下側合わせ面２２５として形成されており、かつ下側合わせ面２２５から下方に向かって三角柱状の係合凸部２３０が突出形成されている。なお、係合凸部２３０は角部が丸みを帯びるとともに中心部にキャップ取付け用のボルト３５０（図１１及び図１２参照）を挿通するためのボルト挿通孔２３１が形成されている。そして、ボルト挿通孔２３１の下側開口部にはボス２３０ａが突出形成されている。また、ボルト挿通孔２３１の上側部分は拡径しており、キャップ３００の支持軸３３０を嵌合させるための軸孔２３２となっている。また、ボルト挿通孔２３１の両側には肉抜きのための空間２３３（図９参照）が形成されている。そして、係合凸部２３０は取手２００を小水受け部１２０に被せると、小水受け部１２０に形成された係合凹部１３０に係合するようになっている。
【００２８】
また、小水受け部１２０の上面傾斜部である合わせ面１２５と対応する固定部２２０の上面にも取手２００の下面と同様の傾斜角度を有する上側合わせ面２３５（図８参照）が形成されている。これによって、キャップ３００を介して取手２００を小水受け部１２２に取付けると、キャップ３００の周壁３２０の下縁が上側合わせ面２３５に合致するとともに、キャップ３００の上面部３１０が幼児用補助便座使用状態で水平をなすようになっている。また、固定部２２０の上面にはキャップ位置決め用の位置決め凹部２２０ａが形成されている。
【００２９】
一方、固定部２２０の小水受け開口部に対応する縁部２４０には、図９に示すように便座本体１００と当接する基端部に凸起部２４１が形成されるとともに、基端部近傍に小水受け部１２０の開口部の縁凸部１２３（図５参照）と係合して取手２００の前方向への倒れを防止する係合孔２４２ａを備えた耳部２４２が形成されている。また、縁部２４０の上部幅方向中央位置には小水受け部１２０の開口縁部と係合して取手２００の前方向への倒れを防止する舌片２４３が形成されている。また、掴み部２１０の上部内側面には取手２００を幼児が握りやすくかつ滑ることがないように浅い凹み部２１０ａが幼児の指の間隔に合わせて所定の数だけ形成されている。
【００３０】
一方、キャップ３００は、図１０に示すように取付け状態で水平面をなす上面視略円形の上面部３１０と、上面部３１０の周囲縁に沿って下方に延在するとともに、その下端縁が小水受け部１２０の傾斜面である合わせ面１２５及び取手２００の固定部上面に形成された上側合わせ面２３５と合致した傾斜角度を有する周壁３２０を備えている。そして、周壁３２０の下縁部がキャップ３００の合わせ面３２５を形成している。また、キャップ３００の上面部３１０の内側には上面部３１０と垂直方向にかつ合わせ面３２５と一定の角度をなすようにキャップ取付け用の支持軸３３０が突出形成されている。そして、支持軸３３０の内周面には図示しないボルト締結用の雌ネジが形成されている。また、支持軸周囲対向位置からはキャップ３００の上面部３１０と一体をなしかつ側面視で三角形形状を有する補強用のリブ３４０が延在形成されている。なお、リブ３４０の傾斜角度は、キャップ３００の合わせ面３２５と合致する角度をなしている。また、リブ３４０の一部にはキャップ取付け用の位置決め突部３４０ａが形成されて、位置決め突部３４０ａが取手２００の固定部２２０の位置決め凹部２２０ａ（図８参照）又は小水受け部１２０の位置決め凹部１２０ｂ（図４参照）に係合してキャップ取付け時の位置合わせを行いやすくしている。
【００３１】
そして、キャップ３００の支持軸３３０は、キャップ３００を小水受け部１２０に直接取付ける際に、小水受け部１２０の上面視三角形状の係合凹部底部に形成された軸孔１４０（図７参照）に嵌合するようになっている。また、小水受け部１２０に取手２００を取付ける場合、キャップ３００の支持軸３３０は取手２００の軸孔２３２（図８参照）に嵌合するようになっている。
【００３２】
一方、キャップ３００の上面部３１０には、本実施形態では図示しないが例えば愛嬌のあるトラの子供など幼児が親しみやすいキャラクタが直接描かれているか、このキャラクタが描かれたシールが貼り付けてある。なお、キャラクタはキャップ３００を取付けると、幼児が便座に着座した状態において例えば愛嬌のあるトラの子供が幼児とちょうど向き合って幼児に笑いかけるような向きに描かれている。
【００３３】
このように構成された幼児用補助便座１は、以下のようにして使用される。幼児がまだ小さく幼児用補助便座使用時に掴み部２１０を握る必要がある場合は、図１、図２、及び図１１に示すように、取手２００を便座本体１００に被せてキャップ３００とボルト３５０と座金３５１とスプリングワッシャ３５２を介して取手２００を便座本体１００にしっかりと固定する。
【００３４】
取手２００を取付ける際は、図８及び図９に示す取手２００の小水受け開口部に対応する縁部基端の凸起部２４１を図３及び図４に示す便座本体１００の凹み部１１５に係合させ、取手２００を便座本体１００の前方に押すことでこの凹凸部を中心として取手２００を回転させ、取手２００の下側合わせ面２２５と小水受け部１２０の合わせ面１２５を合致させるとともに取手２００の係合凸部２３０を小水受け部１２０の係合凹部１３０に係合させる。これと同時に、取手２００の耳部２４２に形成された係合孔２４２ａが小水受け開口縁部の縁凸部１２３（図５参照）に係合し、取手２００の舌片２４３が小水受け部１２０の開口縁部と係合する。この時、取手２００の係合凸部２３０は三角柱状で係合凹部１３０も三角形なので取手２００が小水受け部１２０に対して周方向にがたつくことなく固定される。
【００３５】
続いて、取手２００の軸孔２３２にキャップ３００の支持軸３３０（図１０参照）を嵌合させる。この場合、キャップ３００の支持軸３３０はキャップ３００の合わせ面３２５に対して一定の角度をなしているので、キャップ３００の支持軸３３０を取手２００の軸孔２３２に嵌合するだけでキャップ３００の合わせ面３２５と取手２００の上側合わせ面２３５とが合致し、幼児用補助便座取付け状態でキャップ３００の上面部３１０が水平になるとともに、キャップ３００の上面部３１０に描かれたキャラクタが幼児補助便座１に着座する幼児の方向を向くようになる。
【００３６】
この状態でボルト３５０を便座本体１００の下側からキャップ３００の支持軸３３０に螺合させることで、図１１に示すように取手２００を便座本体１００にしっかりと取付けることができる。
【００３７】
一方、幼児がある程度成長して取手２００が不要になったときは、取手２００を取り外す。取手２００の取り外しに際しては、ボルト３５０を緩めてキャップ３００を取手２００から取り外す。次いで、取手２００を便座本体１００の後ろ側に押して、取手２００の係合凸部２３０と小水受け部１２０の係合凹部１３０との係合を解除する。これによって、取手２００が便座本体１００の後方に倒れ、小水受け開口縁部と取手２００との係合を解除し、便座本体１００から容易に取り外すことができる。
【００３８】
次いで、キャップ３００を小水受け部１２０に取付ける。この取付けに際しては、キャップ３００の支持軸３３０を図４に示す小水受け部１２０の軸孔１４０に挿入するだけで、図１２及び図１３に示すように、キャップ３００の合わせ面３２５と小水受け部の合わせ面１２５とが合致し、幼児用補助便座１の使用状態においてキャップ３００の上面部３１０を水平にすることができるとともに、キャップ３００の上面部３１０に描かれたキャラクタを幼児用補助便座１に着座する幼児の方向に向けることができる。次いで、この状態でボルト３５０と座金３５１とスプリングワッシャ３５２を便座本体１００の下方からキャップ３００の支持軸３３０に螺合してキャップ３００を小水受け部１２０にしっかりと取付ける。
【００３９】
以上説明したように、本実施形態にかかる幼児用補助便座１に取手２００を取付けるときにはキャップ３００を用いて幼児用補助便座１に取手２００の固定部２２０を固定するとともに、取手２００を外したときにもキャップ３００を幼児用補助便座１に取付けて幼児用補助便座１の係合凹部１３０を覆うことができる。
【００４０】
このように、キャップ３００が取手２００の固定部２２０と取手２００を取付けないときの係合凹部１３０を覆うカバーを兼用しているので、部品点数を少なくし、キャップ紛失のおそれもなくなる。
【００４１】
また、取手２００の下側合わせ面２２５と幼児用補助便座１の小水受け部１２０の合わせ面１２５及び取手２００の上側合わせ面２３５とキャップ３００の合わせ面３２５は、小水受け部１２０の上面形状に応じた傾斜面とされ、かつ取手２００の固定部２２０と小水受け部１２０には各合わせ面と所定の角度をなして軸孔２３２，１４０がそれぞれ設けられている。そして、キャップ３００の下面には当該下面と所定の角度をなして軸孔２３２，１４０に嵌合する支持軸３３０が設けられている。これによって、キャップ３００は、取手２００の固定部上面又は小水受け部上面に常に所定方向を向いた状態で取付けられる。
【００４２】
すなわち、キャップ３００の支持軸３３０に便座本体１００の下側からボルトを締め付ける際に、キャップ３００の合わせ面３２５と取手２００の上側合わせ面２３５及び下側合わせ面２２５又は小水受け部１２０の合わせ面１２５が支持軸３３０と直交していないので、キャップ３００が回転することはない。そのため、キャップ３００を特に強く押さえることなく、ボルト３５０を締め付けてキャップ３００を取手２００又は小水受け部１２０に簡単に取付けることができる。また、キャップ３００をその取付け方向性が定まった状態でのみボルト等の締結具で締め付けるだけで、キャップ３００と取手２００の上側合わせ面２３５又はキャップ３００と小水受け部１２０の合わせ面１２５が必ず合致し、キャップ３００と取手２００や小水受け部１２０の間に隙間を生じさせることなくキャップ３００を取付けることができる。
【００４３】
また、キャップ３００は、支持軸３３０が合わせ面３２５と所定の角度をなしていることで、回り止めされて取手２００の固定部２２０の上面又は小水受け部１２０の上面に常に同じ方向を向くように容易に取付けることができ、取付け性が良い。
【００４４】
同様に、キャップ３００を外して取手２００を取り去る場合も、キャップ３００を強く押さえながらボルト３５０を緩める必要がなく、取手２００を簡単に取り外すことができる。
【００４５】
また、キャップ３００の上面部３１０には着座した幼児に向けてキャラクタが表示されていることで、キャラクタが常に幼児の座った方向に向くようになり、キャラクタが幼児の興味をそそって幼児を積極的にトイレに行かせることができ、トイレ嫌いをなくすことができる。また、取手２００を取り外しても、同じキャラクタをそのまま残すことができ、幼児のトイレトレーニング意欲を損なうことがない。また、ボルト３５０が緩んでキャップ３００が万が一外れかけた場合、キャラクタの向きの変化に応じて幼児がこれを親に知らせることができ、取手２００のガタ付きなどを防止できる。
【００４６】
また、キャップ３００の上面部３１０は略水平な面をなしているので、幼児が座っている状態でキャラクタを見易く、幼児が安定した姿勢で用を足せ、また、便座におとなしく座っていることができるようになる。
【図面の簡単な説明】
【００４７】
【図１】本発明の一実施形態にかかる幼児用補助便座を斜め前方上側から示した斜視図である。
【図２】図１の幼児用補助便座を斜め後方上側から示した斜視図である。
【図３】図１の幼児用補助便座の便座本体を図１と同様の方向から示した斜視図である。
【図４】図３の小水受け部を拡大して示した斜視図である。
【図５】図３の便座本体を斜め後方上側から示した斜視図である。
【図６】図３に示した便座本体の底面図である。
【図７】小水受け部の長手方向に沿った断面図である。
【図８】取手の長手方向に沿った断面図である。
【図９】取手を斜め下方から示した斜視図である。
【図１０】キャップを斜め下方から示した斜視図である。
【図１１】取手を小水受けに取付け、キャップを取付けた状態の長手方向に沿った断面図である。
【図１２】小水受けにキャップを直接取付けた状態を長手方向に沿った断面図である。
【図１３】図１の幼児用補助便座を、取手を取り去ってキャップを取付けた状態で示した図１に対応する斜視図である。
【符号の説明】
【００４８】
１    幼児用補助便座
１００    便座本体
１１０    座部
１１５    凹み部
１１９    引掛け部
１２０    小水受け部
１２０ａ    傾斜面
１２０ｂ    位置決め凹部
１２１    前方部分
１２２    後方部分
１２３    縁凸部
１２５    合わせ面
１３０    係合凹部
１４０    軸孔
１５０    壁部
２００    取手
２１０    掴み部
２１０ａ    凹み部
２２０    固定部
２２０ａ    位置決め凹部
２２５    下側合わせ面
２３０    係合凸部
２３０ａ  ボス
２３１    ボルト挿通孔
２３２    軸孔
２３３    空間
２３５    上側合わせ面
２４０    縁部
２４１    凸起部
２４２    耳部
２４２ａ    係合孔
２４３    舌片
３００    キャップ
３１０    上面部
３２０    周壁
３２５    合わせ面
３３０    支持軸
３４０    リブ
３４０ａ    位置決め突部
３５０    ボルト
３５１    座金
３５２    スプリングワッシャ
５００    取付け調整固定具
【図１】
2005323869.tif 000003
【図２】
2005323869.tif 000004
【図３】
2005323869.tif 000005
【図４】
2005323869.tif 000006
【図５】
2005323869.tif 000007
【図６】
2005323869.tif 000008
【図７】
2005323869.tif 000009
【図８】
2005323869.tif 000010
【図９】
2005323869.tif 000011
【図１０】
2005323869.tif 000012
【図１１】
2005323869.tif 000013
【図１２】
2005323869.tif 000014
【図１３】
2005323869.tif 000015